(57)【要約】【課題】基礎カバーを設置しておくことができる基礎カバー設置方法。【解決手段】建物の基礎ベース部６に複数個の柱型基礎７が設けられ、柱型基礎７の上部に建物の外周部に亘って設けられた床梁５を有し、屋外に面する柱型基礎７の屋外側にパネルを設ける建物において、屋外に面する柱型基礎７の屋外側にパネルを施工するまでの間に、屋外に面する柱型基礎７の屋外側に基礎カバー８を設置する基礎カバー８設置方法であって、柱型基礎７の屋外側に基礎カバー８を設け、基礎カバー８を第一固定手段９により床梁５に固定し、基礎カバー７を第二固定手段１０により柱型基礎７に固定し、基礎カバー８を、防水性を有する素材とし、且つ床梁５下端から基礎ベース部６上端より下方まで延在して設け、基礎カバー８の屋外側に、床梁５の屋外側より延在する水切りシート１１を配置する【選択図】  図１
2007262681.tif 000002
【特許請求の範囲】
【請求項１】
建物の基礎ベース部に複数個の柱型立ち上がり部が設けられ、前記柱型立ち上がり部の上部に建物の外周部に亘って設けられた床梁を有し、屋外に面する柱型立ち上がり部の屋外側にパネルを設ける建物において、屋外に面する柱型立ち上がり部の屋外側にパネルを施工するまでの間に、屋外に面する柱型立ち上がり部の屋外側に基礎カバーを設置する基礎カバー設置方法であって、
前記立ち上がり部の屋外側に基礎カバーを設け、前記基礎カバーを第一固定手段により床梁に固定し、前記基礎カバーを第二固定手段により柱型立ち上がり部に固定し、
前記基礎カバーを、防水性を有する素材とし、且つ床梁下端から基礎ベース部上端より下方まで延在して設け、
前記基礎カバーの屋外側に、床梁の屋外側より延在する水切りシートを配置することを特徴とする基礎カバー設置方法。
【請求項２】
前記床梁として下端部にフランジを有する部材を使用し、
前記第一固定手段を、床梁の前記フランジを覆うコの字形状とし、コの字形状の上下２辺の間を床梁の前記フランジ厚より若干大きいものとし、コの字形状の下辺にボルト孔を設け、その孔にボルトを挿入することで床梁に第一固定手段を固定し、
第一固定手段の屋外側に固定部を設け、その固定部に基礎カバーを固定することを特徴とする請求項１記載の基礎カバー設置方法。
【請求項３】
基礎カバーの基礎ベース部上端位置付近に、基礎カバーの長手方向全体に亘り屋内側に突出する取着部を設け、
前記第二固定手段を、挟持部を有する帯状体とし、
第二固定手段で柱状立ち上がり部の周囲に巻着し、第二固定手段の挟持部で基礎カバーの取着部を挟み込んで固定することを特徴とする請求項１又は請求項２記載の基礎カバー設置方法。
【請求項４】
基礎カバーの基礎ベース部上端位置より下方の部分に挿入孔を設け、その孔に杭状部材を挿入し基礎ベース部周辺の地盤面に固定することを特徴とする請求項１乃至請求項３記載の基礎カバー設置方法。
【請求項５】
請求項１乃至請求項４のいずれかに記載の基礎カバー設置方法で使用可能な基礎カバーであって、防水性を有する素材で、且つ床梁下端から基礎ベース部上端より下方まで延在していることを特徴とする基礎カバー。
【発明の詳細な説明】
【技術分野】
【０００１】
本発明は、建物に基礎カバーを設置する基礎カバー設置方法に関する。
【背景技術】
【０００２】
建物の基礎部分の構成としては、鉄筋コンクリートで基礎ベース部と立ち上がり部を構成する基礎が一般的である。その他には、例えば特許文献１に、鉄筋コンクリート製の基礎ベース部を設け、立ち上がり部として基礎ベース部上に複数個の鋼製の柱型基礎を設け、その柱型基礎の外側に目隠しとしてコンクリート成形板やフラッシュパネルで構成された化粧パネルを設けたものがある。この特許文献１のように、柱型基礎の外側に目隠しとしてコンクリート成形板やフラッシュパネルを設ける構成にすると、基礎ベース部の施工とコンクリート成形板やフラッシュパネルを同時に施工する必要がなく、コンクリート成形板やフラッシュパネルを後施工にするなど基礎施工の工程短縮をすることができる。
【特許文献１】特開２００５−２３５９５号
【発明の開示】
【発明が解決しようとする課題】
【０００３】
しかし、特許文献１でコンクリート成形板やフラッシュパネルを後施工とする場合は、施工までの間に立ち上がり部同士の隙間から、基礎ベース部にゴミが入ったり、水が浸入したりするといった課題がある。
したがって、本発明の目的は、屋外に面する柱型立ち上がり部の屋外側にコンクリート成形板やフラッシュパネルなどのパネルを後施工する場合であっても、立ち上がり部の隙間から、基礎ベース部にゴミが入ったり、水が浸入したりすることがないように基礎カバーを設置するための基礎カバー設置方法を提供することにある。
【課題を解決するための手段】
【０００４】
請求項１記載の発明は、建物の基礎ベース部に複数個の柱型立ち上がり部が設けられ、前記柱型立ち上がり部の上部に建物の外周部に亘って設けられた床梁を有し、屋外に面する柱型立ち上がり部の屋外側にパネルを設ける建物において、屋外に面する柱型立ち上がり部の屋外側にパネルを施工するまでの間に、屋外に面する柱型立ち上がり部の屋外側に基礎カバーを設置する基礎カバー設置方法であって、
前記立ち上がり部の屋外側に基礎カバーを設け、前記基礎カバーを第一固定手段により床梁に固定し、前記基礎カバーを第二固定手段により柱型立ち上がり部に固定し、
前記基礎カバーを、防水性を有する素材とし、且つ床梁下端から基礎ベース部上端より下方まで延在して設け、
前記基礎カバーの屋外側に、床梁の屋外側より延在する水切りシートを配置することを特徴とする基礎カバー設置方法である。
【０００５】
基礎カバーに用いる防水性を有する素材としては、例えば、ポリエステル、ポリエチレン、ポリウレタン等の樹脂製の織物や、防水性を有さない織物に防水コーティングしたものなどを使用することができる。また建設現場周辺には硬く尖った物も多いので強度のあるものを選ぶことが好ましい。
【０００６】
基礎カバーを床梁下端から基礎ベース部上端より下方まで延在して設ける長さは、地盤面と基礎ベース部との高低差に合わせて設け、基礎カバーの下端部が地盤面に触れる程度又は、基礎カバーが横たわる程度の長さの略５０ｍｍ乃至１５０ｍｍとすることが、地盤面からの跳ね返りによる雨水等の浸入も防げるため好ましい。
【０００７】
シート水切りとしては、床梁の屋外側で、建物の外周全周に亘り設けられるものであって、最終的には柱型立ち上がり部の屋外側に設けるパネルと外壁材との間の防水を行うものである。
【０００８】
請求項１記載の発明によれば、基礎カバーが屋外に面する立ち上がり部の屋外側に、第一固定手段により床梁に固定され、第二固定手段により柱型立ち上がり部に固定されるので、立ち上がり部の屋外側、つまり建物外周を基礎カバーでしっかりと囲うことができる。更に、基礎カバーが防水性を有し、且つ床梁下端から基礎ベース部上端より下方まで延在して設けるものなので、基礎ベース部に雨水等が浸入することを防止することができる。また、基礎カバーの屋外側に、床梁の屋外側より延在する水切りシートを配置するので上方から伝わる雨水の侵入に対しても防止することができる。
【０００９】
請求項２記載の発明は、請求項１記載の基礎カバー設置方法であって、前記床梁として下端部にフランジを有する部材を使用し、
前記第一固定手段を、床梁の前記フランジを覆うコの字形状とし、コの字形状の上下２辺の間を床梁の前記フランジ厚より若干大きいものとし、コの字形状の下辺にボルト孔を設け、その孔にボルトを挿入することで床梁に第一固定手段を固定し、
第一固定手段の屋外側に固定部を設け、その固定部に基礎カバーを固定することを特徴とするものである。
【００１０】
下端部にフランジを有する梁としては、例えば、Ｈ形鋼やＣ形鋼で梁を構成するものが使用できる。また、コの字形状の上下２辺の間を床梁の前記フランジ厚より若干大きいものとは、略１ｍｍ乃至１０ｍｍ程度大きくすることが、大きすぎて落下することを防止できるため好ましい。第一固定手段の屋外側に基礎カバーを固定する手段としては、例えば、基礎カバーにボルト孔を設け、第一固定手段にボルト固定するものなどが使用できる。また、第一固定手段の屋外側を鉛直下方向に曲げた折り曲げ部を設けるものなので、基礎カバーを鉛直方向に垂れ下げ易いものとなり、より雨水などの浸入を防止できる。
【００１１】
請求項２記載の発明によれば、第一固定手段を、床梁の前記フランジを覆うコの字形状とし、コの字形状の上下２辺の間を床梁の前記フランジ厚より若干大きいものとなっているので、床梁のフランジに被せたままの状態で移動させることができ、適切な位置に移動させてから第一固定手段を床梁に固定することができる。また、基礎カバーを固定し、また取外すことも容易であるため、一定期間を固定するのに適したものとなる。また、第一固定手段の屋外側に基礎カバーを固定するので、基礎カバーは床梁の屋外側に固定部を設け、その固定部に基礎カバーを固定するので鉛直下方向に垂れ下がるものとでき雨水などの浸入を防止できる。
【００１２】
請求項３記載の発明は、請求項１又は請求項２記載の基礎カバー設置方法であって、基礎カバーの基礎ベース部上端位置付近に、基礎カバーの長手方向全体に亘り屋内側に突出する取着部を設け、
前記第二固定手段を、挟持部を有する帯状体とし、
第二固定手段で柱状立ち上がり部の周囲に巻着し、第二固定手段の挟持部で基礎カバーの取着部を挟み込んで固定することを特徴とするものである。
【００１３】
水平方向に亘り屋内側に突出する取着部としては、例えば、厚さ略１ｍｍ乃至５ｍｍの樹脂製の長尺部材とし、その短手方向の一端を基礎カバーに取付し、他方が基礎カバーより突出して垂れ下がるものなどが使用できる。
また、第二固定手段の、挟持部を有する帯状体としては、例えば、挟持部を帯状体の中間に設けて、端部にマジックテープ（登録商標）等を設けたものや、帯状体の両端部に挟持部を設けたものなどが使用できる。
【００１４】
請求項３記載の発明によれば、第二固定手段は柱状立ち上がり部を巻着したもので、基礎カバーの取着部を第二固定手段の挟持部で挟み込むものなので、基礎カバーを固定し、また取外すことも容易であるため、一定期間を固定するのに適したものとなる。また、基礎カバーの水平方向に亘って取着部を設けるので、基礎ベース部のどこに柱状立ち上がり部があっても、固定することができる。
【００１５】
請求項４記載の発明は、請求項１乃至請求項３のいずれかに記載の基礎カバー設置方法であって、基礎カバーの基礎ベース部上端位置より下方の部分に挿入孔を設け、その孔に杭状部材を挿入し基礎ベース部周辺の地盤面に固定することを特徴とするものである。
【００１６】
杭状部材としては、例えば、金属製や木製の先端が尖ったペグ等が使用できる。また、挿入孔には、補強布やハトメ等を設けて補強しておくと基礎カバーが挿入孔から破れ易くならず好ましい。また、挿入孔を一定間隔で設けておくと、固定する位置が限定されにくくなるため好ましい。
【００１７】
請求項４記載の発明によれば、杭状部材の抜き差しにより、基礎カバーを地盤面に固定し、また取外すことも容易であるため一定期間を固定するのに適したものとなる。また、基礎カバー端部のばたつきも抑制することができる。また、基礎カバーに複数個の挿入孔を設けておけば、場所を選ばずに固定することができる。
【００１８】
請求項５記載の発明は、請求項１乃至請求項４のいずれかに記載の基礎カバー設置方法で使用可能な、防水性を有する素材で、且つ床梁下端から基礎ベース部上端より下方まで延在していることを特徴とする基礎カバーである。
【００１９】
請求項５記載の発明によれば、防水性を有し、且つ床梁下端から基礎ベース部上端より下方まで延在して設けるものなので、基礎ベース部に雨水等が浸入することを防止することできる基礎カバーとして使用できる。
【発明の効果】
【００２０】
請求項１記載の基礎カバー設置方法によれば、基礎カバーが屋外に面する立ち上がり部の屋外側に、第一固定手段により床梁に固定され、第二固定手段により柱型立ち上がり部に固定されるので、立ち上がり部の屋外側、つまり建物外周を基礎カバーでしっかりと囲うことができる。更に、基礎カバーが防水性を有し、且つ床梁下端から基礎ベース部上端より下方まで延在して設けるものなので、基礎ベース部に雨水等が浸入することを防止することができる。また、基礎カバーの屋外側に、床梁の屋外側より延在する水切りシートを配置するので上方から伝わる雨水の侵入に対しても防止することができる。
【００２１】
請求項２記載の基礎カバー設置方法によれば、第一固定手段を、床梁の前記フランジを覆うコの字形状とし、コの字形状の上下２辺の間を床梁の前記フランジ厚より若干大きいものとなっているので、床梁のフランジに被せたままの状態で移動させることができ、適切な位置に移動させてから第一固定手段を床梁に固定することができる。また、基礎カバーを固定し、また取外すことも容易であるため、一定期間を固定するのに適したものとなる。また、第一固定手段の屋外側に基礎カバーを固定するので、基礎カバーは床梁の屋外側に折り曲げ部を設け、その折り曲げ部に基礎カバーを固定するので鉛直下方向に垂れ下がるものとでき雨水などの浸入を防止できる。
【００２２】
請求項３記載の基礎カバー設置方法によれば、第二固定手段は柱状立ち上がり部を巻着したもので、基礎カバーの取着部を第二固定手段の挟持部で挟み込むものなので、基礎カバーを固定し、また取外すことも容易であるため、一定期間を固定するのに適したものとなる。また、基礎カバーの水平方向に亘って取着部を設けるので、基礎ベース部のどこに柱状立ち上がり部があっても、固定することができる。
【００２３】
請求項４記載の基礎カバー設置方法によれば、杭状部材の抜き差しにより、基礎カバーを地盤面に固定し、また取外すことも容易であるため一定期間を固定するのに適したものとなる。また、基礎カバー端部のばたつきも抑制することができる。また、基礎カバーに複数個の挿入孔を設けておけば、場所を選ばずに固定することができる。
【００２４】
請求項５記載の基礎カバーによれば、防水性を有し、且つ床梁下端から基礎ベース部上端より下方まで延在して設けるものなので、基礎ベース部に雨水等が浸入することを防止することできる基礎カバーとして使用できる。
【発明を実施するための最良の形態】
【００２５】
以下、本発明のパネル設置装置の実施の形態を図１乃至図７に基づいて説明する。
【実施例１】
【００２６】
実施例１は、本発明の基礎カバー設置方法を使用してユニット建物に基礎カバーの設置を行うものであり図１乃至図７に基づいて説明する。図１は本発明の基礎カバー設置方法を用いた実施例１の断面図である。図２は本発明の基礎カバー設置方法を用いた実施例１のユニット建物基礎部の平面図である。図３は本発明の基礎カバー設置方法を用いた実施例１で使用する基礎カバーの斜視図である。図４は本発明の基礎カバー設置方法を用いた実施例１の第一固定手段の斜視図である。図５は本発明の基礎カバー設置方法を用いた実施例１のＨ部での詳細断面図である。図６は本発明の基礎カバー設置方法を用いた実施例１の第二固定手段の斜視図である。図７は本発明の基礎カバー設置方法を用いた実施例１のＩ部での詳細断面図である。図８は本発明の基礎カバー設置方法を用いた実施例１のＪ部での詳細断面図である。図９は実施例１のユニット建物を構成する建物ユニットの斜視図である。
【００２７】
ユニット建物１は図２のように複数の建物ユニット２を複数個配置することにより構成されている。
建物ユニット２は、図９に示すように４本の柱３の上部に天井梁４をそれぞれ結合し、４本の柱３の下部に床梁５をそれぞれ接合した構成となっている。なお、天井梁４、床梁５はＣ形鋼よりなり、下端部にフランジを有するものとなっており、Ｃ形鋼の開放した面を建物ユニット２の屋内側に向けて接合されている。
【００２８】
ユニット建物１の基礎部分は、基礎ベース部６に複数個の柱型基礎７（柱状立ち上がり部）を立設して、柱型基礎７の屋外側に図示しない化粧パネルを設置して構成されている。そして、本実施例では、基礎ベース部、柱型基礎を施工後に、化粧パネルを施工するまでの間に、柱型基礎７の屋外側に基礎カバーを設置するものである。
【００２９】
基礎ベース部６はコンクリートで構成されたベタ基礎となっており、ユニット建物１の直下の地盤面全体に亘り設けられている。地盤面と基礎ベース部上端までの高さは略１００ｍｍとなっている。
【００３０】
柱型基礎７は、建物ユニット２の柱３の下方部分に、それぞれ柱１本につき一箇所づつ設けられている。柱型基礎７は、側面隅角部に開口部が設けられた角柱の柱部と上端面に設けられた上部プレート部、下端部に設けられた下部プレート部により構成されている。上部プレート及び下部プレートには、それぞれ1箇所貫通孔が設けられている。柱型基礎７の基礎ベース部６への固定には、基礎ベース部６に設けられたアンカーボルトを、柱型基礎７の下部プレートの貫通孔に挿入し、柱部の開口部を利用してナットを柱部の内側から下部プレートの上部より締め付けて基礎ベース部６に固定している。柱型基礎７の建物ユニット２への固定には、柱型基礎７の開口部を利用してボルトを柱部の内側に挿入し、内側から上部プレートの貫通孔にボルトを挿入し、建物ユニット２の柱３の下端部に固定している。
【００３１】
また、柱型基礎７の上部には、建物ユニット２の床梁５が配置され、ユニット建物１の外周部に亘って床梁５が配置されたものとなっている。
【００３２】
基礎カバー設置方法としては、柱型基礎７の屋外側に基礎カバー８を設け、基礎カバー８を第一固定手段９により床梁５に固定し、基礎カバー８を第二固定手段１０により柱型基礎７に固定し、基礎カバー８の屋外側に、床梁５の屋外側より延在する水切りシート１１を配置するものとなっている。以下、基礎カバー８、第一固定手段９、第二固定手段１０、水切りシート１１とその施工工程について詳しく説明する。
【００３３】
基礎カバー８は、図３に示すように、防水性と強度を有するポリエチレン織物に両面ポリエチレンラミネートしたものとする。基礎カバー８の長手方向の長さは、略６０００ｍｍものを使用し、複数個の基礎カバー８を使用して、建物の外周部を囲うように設ける。そして、基礎カバー８の短手方向の長さは、基礎カバー８を設置した際に、床梁５下端から基礎ベース部６上端の下方略１００ｍｍまで延在した長さとなるものを使用する。基礎カバー８には、短手方向の上部に上部取付孔１３、下部に下部挿入孔１４（挿入孔）を設ける。上部取付孔１３、下部挿入孔１４の周囲はアルミニウム製で耐食性のあるハトメ１２により補強されている。また、上部取付孔１３は、略２００ｍｍ乃至４５０ｍｍ間隔で設けられている。また、下部挿入孔１４は、略４５０ｍｍ乃至１０００ｍｍ間隔で設けられている。
【００３４】
また、基礎カバー８の基礎ベース部６上端位置付近に位置する箇所に、基礎カバー８の長手方向全体（水平方向）に亘り、屋内側に突出する取着部２０を設ける。この取着部２０は厚み略１ｍｍ乃至５ｍｍの樹脂製の長尺の布を使用し、取着部２０の短手方向の一端を基礎カバー８に取付し、他方が基礎カバー８より垂れ下がるものとしている。
【００３５】
第一固定手段は、図４、図５に示すように、床梁５のＣ形鋼の下部フランジ５ａを覆うコの字形状となっている。そして、コの字形状の上下２辺の間を床梁５の下部フランジ５ａの厚みより略１ｍｍ乃至１０ｍｍ程度大きくものとしている。コの字形状の下辺には、ボルト孔１５を設け、そのボルト孔１５にボルト１６を挿入することで床梁５に第一固定手段９を固定している。
第一固定手段９の屋外側に固定部１７を設け、その固定部１７の屋内側に裏ナットを設けた取付孔１８を設け、基礎カバー８の屋外側から上部取付孔１３、取付孔１８にボルト１９を挿入しボルト固定する。
【００３６】
第二固定手段１０は、図６、図７に示すように、サスペンダー等で使用するような、突起を有する板状部材２個をバネ材で拘束した挟持部２１と、マジックテープ（登録商標）２７を備えた帯部２２を有する帯状体となっている。
そして、第二固定手段１０の帯部２２を柱状基礎７下部に巻きつけて、マジックテープ（登録商標）で取付を行う。その際、挟持部２１を柱型基礎７の屋外側方向を向くように配置する。そして、第二固定手段１０の挟持部２１で基礎カバー８の取着部２０を挟み込んで基礎カバー８を固定する。
【００３７】
水切りシート１１は、床梁５の屋外側から延在するものであって、ユニット建物１の外周全周に亘り設けられているものである。なお、水切りシート１１は、最終的には柱型基礎７の屋外側に設ける化粧パネルと、床梁５の屋外側に設ける外壁材２５との間からの雨水の侵入を防止するものである。
そして、この水切りシート１１を、基礎カバー８よりも屋外側に配置する。
【００３８】
また、図８に示すように、基礎カバー８の基礎ベース部６上端位置より下方の部分に設けた下部挿入孔１４には、杭状部材としてアルミニウム製のペグ２３を挿入し基礎ベース部６周辺の地盤面２４に固定する。
【００３９】
この基礎カバー設置方法によれば、基礎カバーが屋外に面する立ち上がり部の屋外側に、第一固定手段により床梁に固定され、第二固定手段により柱型立ち上がり部に固定されるので、立ち上がり部の屋外側、つまり建物外周を基礎カバーでしっかりと囲うことができる。更に、基礎カバーが防水性を有し、且つ床梁下端から基礎ベース部上端より下方まで延在して設けるものなので、基礎ベース部に雨水等が浸入することを防止することができる。また、基礎カバーの屋外側に、床梁の屋外側より延在する水切りシートを配置するので上方から伝わる雨水の侵入に対しても防止することができる。
【００４０】
また、第一固定手段を、床梁の前記フランジを覆うコの字形状とし、コの字形状の上下２辺の間を床梁の前記フランジ厚より若干大きいものとなっているので、床梁のフランジに被せたままの状態で移動させることができ、適切な位置に移動させてから第一固定手段を床梁に固定することができる。また、基礎カバーを固定し、また取外すことも容易であるため、一定期間を固定するのに適したものとなる。また、第一固定手段の屋外側に基礎カバーを固定するので、基礎カバーは床梁の屋外側に固定部を設け、その固定部に基礎カバーを固定するので鉛直下方向に垂れ下がるものとでき雨水などの浸入を防止できる。
【００４１】
また、第二固定手段は柱状立ち上がり部を巻着したもので、基礎カバーの取着部を第二固定手段の挟持部で挟み込むものなので、基礎カバーを固定し、また取外すことも容易であるため、一定期間を固定するのに適したものとなる。また、基礎カバーの水平方向に亘って取着部を設けるので、基礎ベース部のどこに柱状立ち上がり部があっても、固定することができる。
【００４２】
また、杭状部材の抜き差しにより、基礎カバーを地盤面に固定し、また取外すことも容易であるため一定期間を固定するのに適したものとなる。また、基礎カバー端部のばたつきも抑制することができる。また、基礎カバーに複数個の挿入孔を設けておけば、場所を選ばずに固定することができる。
【００４３】
なお、実施例１では、第二固定手段として、帯部２２の中間に挟持部２１を設けたものを使用したが、図１０（ａ）のように、帯部２２の両端に挟持部２１を設け、柱型基礎７（柱状立ち上がり部）に巻着し、挟持部２１で基礎カバー８の取着部２０を挟みこんだ第二固定手段１０Ａを使用してもよい。また、図１０（ｂ）のように、帯部２２の一端に挟持部２１を設け、他端に環状部２６を設け、帯部２２を環状部２６に通して柱状基礎（柱状立ち上がり部）を巻着し、挟持部２１で基礎カバー８の取着部２０を挟みこんだ第二固定手段１０Ｂを使用してもよい。
【００４４】
以上、本発明の実施例を説明したが、本発明は上記実施例に限定されるものではなく、本発明の要旨を逸脱しない範囲の設計変更があっても本発明に含まれるのは勿論である。
【産業上の利用可能性】
【００４５】
化粧パネル等を施工するまでの間、基礎カバーを設置しておくことができる基礎カバー設置方法として有効である。
【図面の簡単な説明】
【００４６】
【図１】本発明の基礎カバー設置方法を用いた実施例１の断面図である。
【図２】本発明の基礎カバー設置方法を用いた実施例１のユニット建物基礎部の平面図である。
【図３】本発明の基礎カバー設置方法を用いた実施例１で使用する基礎カバーの斜視図である。
【図４】本発明の基礎カバー設置方法を用いた実施例１の第一固定手段の斜視図である。
【図５】本発明の基礎カバー設置方法を用いた実施例１のＨ部での詳細断面図である。
【図６】本発明の基礎カバー設置方法を用いた実施例１の第二固定手段の斜視図である。
【図７】本発明の基礎カバー設置方法を用いた実施例１のＩ部での詳細断面図である。
【図８】本発明の基礎カバー設置方法を用いた実施例１のＪ部での詳細断面図である。
【図９】実施例１のユニット建物を構成する建物ユニットの斜視図である。
【図１０】実施例１の第二固定手段の変形例である。
【符号の説明】
【００４７】
１        ユニット建物
２        建物ユニット
３        柱
４        天井梁
５        床梁
６        基礎ベース部
７        柱型基礎（柱型立ち上がり部）
８        基礎カバー
９        第一固定手段
１０        第二固定手段
１１        水切りシート
１２        ハトメ
１３        上部取付孔
１４        下部挿入孔
１５        ボルト孔
１６        ボルト
１７        固定部
１８        取付孔
１９        ボルト
２０        取着部
２１        挟持部
２２        帯部
２３        ペグ
２４        地盤面
２５        外壁材
２６        環状部
【図１】
2007262681.tif 000003
【図２】
2007262681.tif 000004
【図３】
2007262681.tif 000005
【図４】
2007262681.tif 000006
【図５】
2007262681.tif 000007
【図６】
2007262681.tif 000008
【図７】
2007262681.tif 000009
【図８】
2007262681.tif 000010
【図９】
2007262681.tif 000011
【図１０】
2007262681.tif 000012